(57)【特許請求の範囲】
【請求項１】
物品の展示に用いる物品展示用の構造体において、
前記構造体は、少なくとも第一面、第二面、第三面及び第四面の四面を備えた筒状であり、
前記四面は、第一面と第三面が対向し、第二面と第四面が対向する位置関係にあり、
前記四面のうち少なくとも対向する二面が台形状であり、
前記台形状の二面のいずれか一方の面に二本の補助折れ線が設けられ、
前記二本の補助折れ線は、それらの一端側の間隔と他端側の間隔が等距離となるように平行に設けられ、
前記二本の補助折れ線は山折りすることも谷折りすることも可能であり、
前記二本の補助折れ線のうち一方を山折りにし、他方を谷折りにすることによって、当該補助折れ線が設けられた面に隣接する二面を、二本の補助折れ線が設けられた面に対向する面の裏面側に重なるように折り畳むことができ、
前記二本の補助折れ線を元に戻して当該補助折れ線が設けられた面を平面状にすることによって、四方が四面で囲われた立体形状に組み立てることができる、
ことを特徴とする構造体。
【請求項２】
物品の展示に用いる物品展示用の構造体において、
前記構造体は、少なくとも第一面、第二面、第三面及び第四面の四面を備えた筒状であり、
前記四面は、第一面と第三面が対向し、第二面と第四面が対向する位置関係にあり、
前記四面のうち少なくとも対向する二面が長方形状であり、他の対向する二面が台形状であり、
前記長方形状の二面のいずれか一方の面に二本の補助折れ線が設けられ、
前記二本の補助折れ線は、それらの一端側の間隔が他端側の間隔よりも狭くなるようにハ字状に設けられ、
前記二本の補助折れ線は山折りすることも谷折りすることも可能であり、
前記二本の補助折れ線のうち一方を山折りにし、他方を谷折りにすることによって、当該補助折れ線が設けられた面に隣接する二面を、二本の補助折れ線が設けられた面に対向する面の裏面側に重なるように折り畳むことができ、
前記二本の補助折れ線を元に戻して当該補助折れ線が設けられた面を平面状にすることによって、四方が四面で囲われた立体形状に組み立てることができる、
ことを特徴とする構造体。
【請求項３】
請求項１又は請求項２記載の構造体において、
二本の補助折れ線のうち一方を山折りにし、他方を谷折りにして、当該補助折れ線が設けられた面に隣接する二面を、二本の補助折れ線が設けられた面に対向する面の裏面側に重なるように折り畳んだときに、二本の補助折れ線が設けられた面の幅方向の中心線と当該面に対向する面の幅方向の中心線が重なる、
ことを特徴とする構造体。
【請求項４】
請求項１から請求項３のいずれか１項に記載の構造体において、
二本の補助折れ線が背面に設けられた、
ことを特徴とする構造体。
【請求項５】
請求項１から請求項４のいずれか１項に記載の構造体において、
構造体に折り畳み式又は取外し式の棚板が一段又は二段以上設けられ、
正面のうち前記棚板に対応する位置に開口部が設けられた、
ことを特徴とする構造体。
【発明の詳細な説明】
【技術分野】
【０００１】
本発明は、化粧品や飲食物といった各種商品（物品）の陳列や展示に用いることのできる構造体に関する。
【背景技術】
【０００２】
化粧品や飲食物といった各種商品の陳列や展示には、商品ディスプレイやＰＯＰディスプレイと呼ばれる、段ボールやボール紙（例えばコートボール紙。以下同じ。）、プラスチック段ボールといった折り曲げ（曲げ加工）可能な素材で構成された構造体が用いられている。構造体の表面には、顧客の目を惹くように、展示する商品の広告等が印刷される。
【０００３】
商品ディスプレイやＰＯＰディスプレイとして使用される構造体は、使用時には立体的に組み立てて用いられるが、納品時など、不使用時にはできるだけコンパクトに折り畳めることが望まれている。これは、搬送コストは大きさに応じた金額が設定されていることが多く、コンパクトに折り畳めるものの方が、低コストで多くの製品を搬送できるためである。
【０００４】
従来、折畳み式の構造体として、正面、右側面、背面及び左側面を備えた販売台（特許文献１）が知られている。この販売台は、両側面の夫々に一本ずつ補助折れ線が設けられ、その補助折れ線を谷折りすることによって、正面と背面の内側が近接する方向に折り畳めるように構成されている。
【先行技術文献】
【特許文献】
【０００５】
【特許文献１】特開２００６−２５５２８３号公報
【発明の概要】
【発明が解決しようとする課題】
【０００６】
前記特許文献１の販売台のような構造では、台形状の面を備えた構造体をコンパクトに折り畳むことはできない。
【０００７】
本発明の解決課題は、台形状の面を備えた構造体でもコンパクトに折り畳むことができる構造体を提供することにある。
【課題を解決するための手段】
【０００８】
本発明の構造体は、台形状の面を備えた構造体の任意面に二本の補助折れ線が設けられたものである。二本の補助折れ線は、台形状の面にハの字状に設けたり、長方形状の面に平行に設けたりすることができる。二本の補助折れ線は、それらの一方を山折りにし、他方を谷折りにして構造体を折り畳んだときに、二本の補助折れ線が設けられた面の幅方向の中心線と当該面に対向する面の幅方向の中心線が重なる位置に設けることもできる。二本の補助折れ線を背面に設け、当該背面を除く他の面に所望情報を印刷することもできる。必要な場合、構造体に折り畳み式又は取外し式の棚板を一段又は二段以上設けることもできる。
【発明の効果】
【０００９】
本発明の構造体は、台形状の面を備えた構造体の台形状の面に平行な二本の補助折れ線が設けられている、或いは台形状の面と長方形状の面を備えた構造体の長方形状の面にハの字状の二本の補助折れ線が設けられているので、従来折り畳むことができなかった台形状の面を備えた構造体もコンパクトに折り畳むことができる。補助折れ線を背面に設け、それ以外の面に印刷をした場合、折り線がなく見栄えの良い印刷面とすることができる。
【図面の簡単な説明】
【００１０】
【図１】本発明の構造体の第一の実施形態を示すものであって、（ａ）は右前方側から見た場合の斜視図、（ｂ）は右後方側から見た場合の斜視図。
【図２】（ａ）〜（ｄ）は一方の補助折れ線の位置の決め方の説明図。
【図３】（ａ）〜（ｄ）は他方の補助折れ線の位置の決め方の説明図、（ｅ）は図２（ｄ）の一部と図３（ｄ）の一部を組み合わせた展開図。
【図４】（ａ）〜（ｄ）は図１（ａ）（ｂ）に示す構造体の折畳み手順の説明図。
【図５】本発明の構造体の第二の実施形態を示すものであって、（ａ）は右前方側から見た場合の斜視図、（ｂ）は右後方側から見た場合の斜視図。
【図６】（ａ）〜（ｄ）は図５（ａ）（ｂ）に示す構造体の折畳み手順の説明図。
【図７】本発明の構造体の第一の実施形態を示すものであって、（ａ）は右前方側から見た場合の斜視図、（ｂ）は右後方側から見た場合の斜視図。
【図８】（ａ）〜（ｄ）は図１（ａ）（ｂ）に示す構造体の折畳み手順の説明図。
【図９】本発明の構造体の他の実施形態を示すものであって、（ａ）は右前方側から見た場合の斜視図、（ｂ）は（ａ）の棚板部の構造説明図。
【図１０】本発明の構造体の他の実施形態を示すものであって、（ａ）は右前方側から見た場合の斜視図、（ｂ）は（ａ）の棚板部の構造説明図。
【図１１】本発明の構造体の他の実施形態を示すものであって、（ａ）は右前方側から見た場合の斜視図、（ｂ）は（ａ）の棚板の構造説明図。
【発明を実施するための形態】
【００１１】
（実施形態１）
本発明の構造体の第一の実施形態を、図面を参照して説明する。一例として図１（ａ）（ｂ）に示す構造体は、四方を囲う正面１、右側面２、背面３、左側面４の四面を備えた上下開口の筒状体である。四面は、正面１の一方の側方に右側面２が、右側面２の一方の側方に背面３が、背面３の一方の側方に左側面４が、左側面４の一方の側方に正面１が位置して、正面１と背面３が対向し、右側面２と左側面４が対向するような位置関係にある。四面はすべて連続しており、正面１と右側面２の間、右側面２と背面３の間、背面３と左側面４の間、左側面４と正面１の間に山折り可能な山折り部Ｍが設けられている。
【００１２】
正面１は正面視長方形状であり、背面３は背面視長方形状であり、右側面２及び左側面４は側面視台形状である。本願において長方形状とは、四つの角がすべて直角の四辺形をいい、長方形のほか正方形も含まれる。単に長方形とするのではなく、長方形状としたのは、厳密な意味での長方形に限らず、角部が曲線状にされたようなものや四辺の途中に切欠きが設けられたようなものをも含む趣旨である。また、本願において台形状とは、一組の対辺が平行な四辺形をいい、上下が平行な場合のほか、左右が平行な場合も含まれる。単に台形とするのではなく、台形状としたのは、厳密な意味での台形に限らず、角部が曲線状にされたようなものや四辺の途中に切欠きが設けられたようなものをも含む趣旨である。
【００１３】
正面１、右側面２、背面３、左側面４の夫々の上端側には、フラップ１ａ〜４ａが設けられている。背面３のフラップ（背面フラップ）３ａの上端には係止凸部５が、正面１のフラップ（正面フラップ）１ａの上辺には前記係止凸部５が係止可能な係止凹部６が設けられている。背面フラップ３ａと正面フラップ１ａは内向きに折り曲げ可能であり、両者を内向きに折り曲げて背面フラップ３ａの係止凸部５を正面フラップ１ａの係止凹部６に係止することで、上方の開口部７を閉塞できるようにしてある。右側面２と左側面４に設けられたフラップ（右フラップ２ａ及び左フラップ４ａ）は、折り曲げられないようにしてある。上方に図示しない別の構造体を重ねる場合には、右フラップ２ａと左フラップ４ａを、当該別の構造体の差込み孔に差し込み可能な差込み片として利用することができる。
【００１４】
前記背面３及び背面フラップ３ａには、二本の補助折れ線８ａ、８ｂが設けられている。二本の補助折れ線８ａ、８ｂは、上端が背面フラップ３ａの上辺に到達し、下端が背面３の底辺に到達する長さとしてある。二本の補助折れ線８ａ、８ｂは、背面３から見た際に、上端側の間隔Ｌ１が下端側の間隔Ｌ２よりも狭くなるように、ハの字状に形成してある。両補助折れ線８ａ、８ｂは、山折りすることも谷折りすることもできるようにしてある。説明の便宜上、以下では、背面３及び背面フラップ３ａのうち、一方の補助折れ線（本願において「第一補助折れ線」という）８ａの外側の領域を第一外側部３ｘと、他方の補助折れ線（本願において「第二補助折れ線」という）８ｂの外側の領域を第二外側部３ｙと、両補助折れ線８ａ、８ｂの間の領域を中間部３ｚとして説明する。
【００１５】
この実施形態では、二本の補助折れ線８ａ、８ｂを設ける位置を、次のように決定している。図２（ａ）は図１（ａ）（ｂ）に示す構造体の右側面２及び夫々の面に設けられたフラップ１ａ〜４ａを省略した展開図である。図中Ｃ１線は正面１の幅方向の中心線（本願において「正面中心線」という）であり、Ｃ２線は背面３の幅方向の中心線（本願において「背面中心線」という）である。
【００１６】
図２（ａ）の展開状態にある素材を正面１と左側面４の間の山折り部Ｍ（Ｘ１−Ｘ１線）から図２（ｂ）のように折り畳み、この状態から、図２（ｃ）に示すように、正面１の上側に位置する背面３を、背面中心線Ｃ２と正面中心線Ｃ１が重なるように折り畳む。このときに背面３の折れ曲がる部分（線Ｙ１の位置）が第一補助折れ線８ａの設置位置である。
【００１７】
この反対、すなわち、図３（ａ）の展開状態にある素材を正面１と右側面２の山折り部Ｍ（Ｘ２−Ｘ２）から図３（ｂ）のように折り畳み、この状態から、図３（ｃ）に示すように、正面１の上側に位置する背面３を、背面中心線Ｃ２と正面中心線Ｃ１が重なるように折り畳む。このときに背面３の折れ曲がる部分（線Ｙ２の位置）が第二補助折れ線８ｂの設置位置である。
【００１８】
図２（ｄ）は前記要領で背面３に第一補助折れ線８ａを設けた場合の展開図、図３（ｄ）は前記要領で背面３に第二補助折れ線８ｂを設けた場合の展開図である。図２（ｄ）の正面中心線Ｃ１と背面中心線Ｃ２の間の部分と、図３（ｄ）の正面中心線Ｃ１と背面中心線Ｃ２の間の部分とを切り出して、正面中心線Ｃ１同士を突き合わせると、図３（ｅ）のような展開図が完成し、この展開図の背面中心線Ｃ２同士を突き合わせるようにして組み立てると、図１（ａ）（ｂ）のような背面３に二本の補助折れ線８ａ、８ｂを備えた構造体が完成する。
【００１９】
以上のような位置関係で二本の補助折れ線８ａ、８ｂを設けた図１（ａ）（ｂ）の構造体は、図４（ａ）〜（ｄ）の手順で折り畳むことができる。図４（ａ）は正面１を床に着けて構造体を寝かせた状態を示したものである。この状態から、図４（ｂ）のように、左側面４を正面１の内面側に向けて押し込むと、第一補助折れ線８ａが谷折りされるとともに、第二補助折れ線８ｂが山折りされる。次いで図４（ｃ）のように、右側面２を左側面４及び第一外側部３ｘの上側（外側）に被さるように倒すと、図４（ｄ）のように、中間部３ｚが左側面４と第一外側部３ｘの上側に被さるようにして構造体が折り畳まれる。
【００２０】
他方、図４（ｄ）の折畳み状態から、図４（ｃ）のように、右側面２及び第二外側部３ｙを立ち上げると、この動きに伴って、中間部３ｚが左側面４及び第一外側部３ｘから離れる方向に立ち上がる。中間部３ｚが図４（ｂ）の状態まで立ち上がったところで左側面４を立ち上げると、この動きに伴って、第一外側部３ｘが引き上げられ、図４（ａ）のような立体形状（筒状）に組み立てることができる。
【００２１】
なお、図４（ａ）〜（ｄ）の例では、左側面４を正面１の内面側に向けて押し込んだのち、右側面２を左側面４及び第一外側部３ｘの上側に被さるように倒して構造体を折り畳む場合を一例としているが、右側面２を正面１の内面側に向けて押し込んだのち、左側面４を右側面２及び第二外側部３ｙの上側に被さるように倒して構造体を折り畳むこともできる。この場合、左側面４及び第一外側部３ｘを立ち上げたのち、右側面２を立ち上げることによって、図４（ａ）のような立体形状に組み立てることができる。
【００２２】
（実施形態２）
本発明の構造体の第二の実施形態を、図面を参照して説明する。この実施形態の構造体の基本構造は実施形態１と同様である。以下では、実施形態１と異なる部分を中心に説明し、実施形態１と同様の部分は説明を省略又は簡略化する。また、実施形態１と同一の構成については同一の符号を付する。
【００２３】
実施形態１と同様、この実施形態の構造体も、図５（ａ）（ｂ）のように、正面１、右側面２、背面３及び左側面４を備えているが、これら四面は実施形態１のようにすべてが連続しているわけではなく、正面１とそれ以外の面とが別々に構成されている。具体的には、連続した右側面２と背面３と左側面４がコ字状に形成され、右側面２と左側面４の前方側（背面３とは反対側）にこれとは別体の正面１が取り付けられている。連続する右側面２と背面３の間、背面３と左側面４の間には山折り可能な山折り部Ｍが設けられている。前記四面には、実施形態１のようなフラップ１ａ〜４ａは設けられていない。正面１は右側面２と背面３と左側面４よりも低くしてあり、上方に図示しない別の構造体を重ねるときは、右側面２と背面３と左側面４のうち、正面１の上辺よりも上側に突き出る部分を、当該別の構造体の差込み孔に差し込み可能な差込み片として利用することができる。
【００２４】
実施形態１と同様、この実施形態の構造体も背面３に二本の補助折れ線８ａ、８ｂが設けられている。二本の補助折れ線８ａ、８ｂは、上端が背面３の上辺に到達し、下端が背面３の底辺に到達する長さとしてある。二本の補助折れ線８ａ、８ｂは、背面３をその外側から見た際に、上端側の間隔Ｌ１が下端側の間隔Ｌ２よりも狭くなるように、ハの字状に形成してある。両補助折れ線８ａ、８ｂは、山折りすることも谷折りすることもできる。この実施形態の二本の補助折れ線８ａ、８ｂも、実施形態１と同様の方法で設けることができる。
【００２５】
図５（ａ）（ｂ）に示す構造体は、図６（ａ）〜（ｄ）手順で折り畳むことができる。図６（ａ）は正面１を床に着けて構造体を寝かせた状態を示したものである。この状態から、図６（ｂ）のように、左側面４を正面１の内面側に向けて押し込むと、第一補助折れ線８ａが谷折りされるとともに、第二補助折れ線８ｂが山折りされる。次いで図６（ｃ）のように、右側面２を左側面４及び第一外側部３ｘの上側に被さるように倒すと、図６（ｄ）のように、中間部３ｚが左側面４と第一外側部３ｘの上側に被さるようにして構造体が折り畳まれる。
【００２６】
他方、図６（ｄ）の折畳み状態から、図６（ｃ）のように、右側面２及び第二外側部３ｙを立ち上げると、この動きに伴って、中間部３ｚが左側面４及び第一外側部３ｘから離れる方向に立ち上がる。中間部３ｚが図６（ｂ）の状態まで立ち上がったところで左側面４を立ち上げると、この動きに伴って、第一外側部３ｘが引き上げられ、図６（ａ）のような立体形状に組み立てることができる。
【００２７】
実施形態１と同様、この実施形態の構造体も、右側面２を正面１の内面側に向けて押し込んだのち、左側面４を右側面２及び第二外側部３ｙの上側に被さるように倒して構造体を折り畳むこともできる。この場合、左側面４及び第一外側部３ｘを立ち上げたのち、右側面２を立ち上げることによって、図６（ａ）のような立体形状に組み立てることができる。
【００２８】
（実施形態３）
本発明の構造体の第三の実施形態を、図面を参照して説明する。この実施形態の構造体の基本構造は実施形態１と同様である。以下では、実施形態１と異なる部分を中心に説明し、実施形態１と同様の部分は説明を省略又は簡略化する。また、実施形態１と同一の構成については同一の符号を付する。
【００２９】
実施形態１と同様、この実施形態の構造体も、図７（ａ）（ｂ）に示すように、四方を囲う正面１、右側面２、背面３、左側面４の四面を備えた上下開口の筒状体である。四面は、正面１の一方の側方に右側面２が、右側面２の一方の側方に背面３が、背面３の一方の側方に左側面４が、左側面４の一方の側方に正面１が位置して、正面１と背面３が対向し、右側面２と左側面４が対向するような位置関係にある。四面はすべて連続しており、正面１と右側面２の間、右側面２と背面３の間、背面３と左側面４の間、左側面４と正面１の間に山折り可能な山折り部Ｍが設けられている。実施形態１と異なり、この実施形態の構造体は、正面１が正面視台形状であり、背面３が背面視台形状であり、右側面２及び左側面４が側面視縦長の長方形状である。いずれの面にも、実施形態１のようなフラップ１ａ〜４ａは設けられていない。
【００３０】
実施形態１と同様、この実施形態の構造体の背面３にも、二本の補助折れ線８ａ、８ｂが設けられている。二本の補助折れ線８ａ、８ｂは、上端が背面３の上辺に到達し、下端が背面３の底辺に到達する長さとしてある。実施形態１と異なり、この実施形態の二本の補助折れ線８ａ、８ｂは、間隔をあけて平行に設けられている。両補助折れ線８ａ、８ｂは、山折りすることも谷折りすることもできるようにしてある。この実施形態の二本の補助折れ線８ａ、８ｂも、実施形態１と同様の方法で設けることができる。
【００３１】
図７（ａ）（ｂ）に示す構造体は、図８（ａ）〜（ｄ）の手順で折り畳むことができる。図８（ａ）は正面１を床に着けて構造体を寝かせた状態を示したものである。この状態から、図８（ｂ）のように、左側面４を正面１の内面側に向けて押し込むと、第一補助折れ線８ａが谷折りされるとともに、第二補助折れ線８ｂが山折りされる。次いで図８（ｃ）のように、右側面２を左側面４及び第一外側部３ｘの上側に被さるように倒すと、図８（ｄ）のように、中間部３ｚが左側面４と第一外側部３ｘの上側に被さるようにして構造体が折り畳まれる。
【００３２】
他方、図８（ｄ）の折畳み状態から、図８（ｃ）のように、右側面２及び第二外側部３ｙを立ち上げると、この動きに伴って、中間部３ｚが左側面４及び第一外側部３ｘから離れる方向に立ち上がる。中間部３ｚが図８（ｂ）の状態まで立ち上がったところで左側面４を立ち上げると、この動きに伴って、第一外側部３ｘが引き上げられ、図８（ａ）のような立体形状に組み立てることができる。
【００３３】
実施形態１と同様、この実施形態の構造体も、右側面２を正面１の内面側に向けて押し込んだのち、左側面４を右側面２及び第一外側部３ｘの上側に被さるように倒して構造体を折り畳むこともできる。この場合、左側面４及び第二外側部３ｙを立ち上げたのち、右側面２を立ち上げることによって、図８（ａ）のような筒状に展開することができる。
【００３４】
（実施形態４）
本発明の構造体の第四の実施形態について、図面を参照して説明する。本発明の構造体は、図９〜図１１に示すような棚付きの商品ディスプレイとして用いることもできる。図９〜図１１に示す構造体の基本構造は実施形態１と同様である。以下では、実施形態１と異なる部分を中心に説明し、実施形態１と同様の部分は説明を省略又は簡略化する。また、実施形態１と同一の構成については同一の符号を付する。
【００３５】
図９（ａ）（ｂ）に示す構造体は、正面１と、右側面２と、背面３と、左側面４の四面を備えている。実施形態１と同様、正面１の一方の側方に右側面２が、右側面２の一方の側方に背面３が、背面３の一方の側方に左側面４が、左側面４の一方の側方に正面１が位置して、正面１と背面３が対向し、右側面２と左側面４が対向するような位置関係にある。四面はすべて連続しており、正面１と右側面２の間、右側面２と背面３の間、背面３と左側面４の間、左側面４と正面１の間に山折り可能な山折り部Ｍが設けられている。正面１の四角を結ぶ仮想外郭線の形状、及び背面３は正面視縦長の長方形状であり、右側面２及び左側面４は夫々の面の四角を結ぶ仮想外郭線の形状が側面視台形状である。
【００３６】
正面１には図９（ｂ）のように内向きに折り返すことによって、図９（ａ）のような棚板となる棚板フラップ１０が設けられている。図９（ａ）（ｂ）の棚板フラップ１０は構造体の内側に収まる大きさとしてある。夫々の棚板フラップ１０は横長の長方形状であり、四辺のうちの三辺が正面１から切り離され、残りの一辺が正面１につながっている。棚板フラップ１０の切り離された三辺の外側には、折り返し可能な外フラップ１０ａ〜１０ｃが設けられている。内向きに折り返したときに背面側に位置する外フラップ１０ｂは、背面３に設けられた係止片１１に係止され、棚板フラップ１０が下に抜けないように固定される。棚板フラップ１０を折り返した後の空間は、商品を出し入れするための開口部となる。
【００３７】
前記背面３には、実施形態１と同様の二本の補助折れ線８ａ、８ｂが設けられている。この二本の補助折れ線８ａ、８ｂも実施形態１と同様の方法で設けることができる。図示は省略するが、この実施形態の構造体も、実施形態１と同様の手順で折り畳むことができる。ただし、この実施形態の構造体は、実施形態１とは異なり、棚板（棚板フラップ１０）を備えているため、構造体を折り畳む前に棚板フラップ１０を図９（ｂ）の矢印と反対方向に回転させて棚板フラップ１０を正面１側に復帰させておく必要がある。
【００３８】
図１０（ａ）（ｂ）に示す構造体は図９（ａ）（ｂ）と同様の棚付きの商品ディスプレイであり、その基本構造は、図９（ａ）（ｂ）に示す構造体と同様である。異なるのは、図９（ａ）（ｂ）の場合とは反対に、棚板フラップ１０を内向きに折り返す際に、図１０（ｂ）のように上向きに回転させて背面３に設けられた係止片１１に係止するようにしたことである。その他、右側面２や左側面４の形状などに違いはあるが、背面３に二本の補助折れ線８ａ、８ｂがあること、当該二本の補助折れ線８ａ、８ｂは実施形態１と同様の方法で設けられること、当該二本の補助折れ線８ａ、８ｂを利用して実施形態１と同様に折り畳めること、折畳み前に棚板フラップ１０を正面側に復帰させておく必要があることなどは、図９（ａ）（ｂ）の場合と同様である。
【００３９】
図１１（ａ）（ｂ）に示す構造体は図９（ａ）（ｂ）と同様の棚付きの商品ディスプレイであり、その基本構造は、図９（ａ）（ｂ）に示す構造体と同様である。異なるのは、棚板フラップ１０に代えて別体の棚板１２を備えていること、正面１に内向きに折り返し可能な棚受け部１３を設けたことである。
【００４０】
この実施形態の棚板１２は、図１１（ｂ）に示すように、横長長方形状の載せ面１２ａの三方に下向きに折り返し可能な外フラップ１２ｂ〜１２ｄを備えたものである。この棚板１２の正面１側は、正面１から内向きに９０度折り曲げられた棚受け部１３の上に載り、背面３側が背面３に設けられた係止片１１に係止されて固定される。このとき、右側面２側の外フラップ１２ｂは右側面２と棚受け部１３の間に、左側面４側の外フラップ１２ｄは左側面４と棚受け部１３の間に収まる。
【００４１】
前記のほか、右側面２や左側面４の形状などに違いはあるが、背面３に二本の補助折れ線８ａ、８ｂがあること、当該二本の補助折れ線８ａ、８ｂは実施形態１と同様の方法で設けられること、当該二本の補助折れ線８ａ、８ｂを利用して実施形態１と同様に折り畳めることなどは、図９（ａ）（ｂ）や図１０（ａ）（ｂ）の場合と同様である。なお、この実施形態では、折畳み前に棚板１２を棚受け部１３の上から取り外し、その棚受け部１３を正面１側に復帰させておく必要がある。
【００４２】
前記実施形態１〜４に示す構造体は、段ボールやボール紙、プラスチック段ボールのような折り曲げ可能な素材で製造することができる。前記実施形態１〜４に示す構造体は、本発明の一例であり、その構造はこれらに限定されるわけではない。また、本発明の構造体には、床に直接置いて使用可能なフロアタイプのもののほか、テーブルやカウンター等に置いて使用するカウンタータイプのもの、フックなどに吊り下げるハンガータイプのものなどが含まれる。また、前記実施形態では図示を省略しているが、構造体の表面には、文字、図形、イラスト、写真などを用いた商品広告や、その他の所望情報を印刷することができる。所望情報はすべての面に印刷することもできるが、補助折れ線８ａ、８ｂのない面、前記実施形態１〜４では背面３を除く面に印刷するのが好ましい。このようにすることで、印刷面に補助折れ線８ａ、８ｂが現れず、体裁のよい構造体となる。
【産業上の利用可能性】
【００４３】
本発明の構造体は、商品ディスプレイをはじめ、段ボールやボール紙、プラスチック段ボールなどで製造されるテーブルや容器等としても利用することができる。
【符号の説明】
【００４４】
１      正面
１ａ    （正面の）フラップ
２      右側面
２ａ    （右側面の）フラップ
３      背面
３ａ    （背面の）フラップ
３ｘ    第一外側部
３ｙ    第二外側部
３ｚ    中間部
４      左側面
４ａ    （左側面の）フラップ
５      係止凸部
６      係止凹部
７      開口部
８ａ    補助折れ線（第一補助折れ線）
８ｂ    補助折れ線（第二補助折れ線）
１０    棚板フラップ
１０ａ  （左側面側の）外フラップ
１０ｂ  （背面側の）外フラップ
１０ｃ  （右側面側の）外フラップ
１１    係止片
１２    棚板
１２ａ  載せ面
１２ｂ  （右側面側の）外フラップ
１２ｃ  （背面側の）外フラップ
１２ｄ  （左側面側の）外フラップ
１３    棚受け部
Ｍ      山折り部
【図１】
0006544651.tif 000002
【図２】
0006544651.tif 000003
【図３】
0006544651.tif 000004
【図４】
0006544651.tif 000005
【図５】
0006544651.tif 000006
【図６】
0006544651.tif 000007
【図７】
0006544651.tif 000008
【図８】
0006544651.tif 000009
【図９】
0006544651.tif 000010
【図１０】
0006544651.tif 000011
【図１１】
0006544651.tif 000012